(57)【要約】      （修正有）【課題】操作キーに２つ以上の表示ができるようにすることで、操作の煩雑さを軽減し、操作キーの表示品質に影響のない高品位な操作性を提供する。【解決手段】デジタルカメラは、第１入射面２０及び第２入射面２１と、第１入射面２０及び第２入射面２１から入射した光を外部へ出射する１つの出射面２２と、を有するハーフプリズム４０と、特定のパターンを有すると共に、第１入射面２０及び第２入射面２１に対向するように夫々配置される第１フィルム１５ａ及び第２フィルム１６ａと、第１フィルム１５ａ及び第２フィルム１６ａを挟んでハーフプリズム４０と反対側に夫々配置される、第１LED１５ｂ及び第２LED１６ｂと、１つの出射面２２から出射された光の光路上に配置されたスクリーン１１と、第１LED１５ｂ及び第２LED１６ｂのうち発光させる光源を切り替える光源制御部と、を備える。【選択図】図２
2016095438.tif 000002
【特許請求の範囲】
【請求項１】
少なくとも２つの入射面と、前記少なくとも２つの入射面から入射した光を外部へ出射する１つの出射面と、を有する光路変換素子と、
特定のパターンを有すると共に、前記少なくとも２つの入射面に対向するように夫々配置される少なくとも２つのフィルムと、
前記フィルムを挟んで前記光路変換素子と反対側に夫々配置される、少なくとも２つの光源と、
前記１つの出射面から出射された光の光路上に配置されたスクリーンと、
前記少なくとも２つの光源のうち発光させる光源を切り替える光源制御手段と、
前記少なくとも２つのフィルムが有するパターンの像を前記スクリーンで結像させるための光学素子と、
を備え、
前記パターンの像に対する前記スクリーンの像の倍率は、０．８〜１．２である、
電子機器。
【請求項２】
請求項１に記載の電子機器であって、
前記光源は、LED（light emitting diode）である、
電子機器。
【請求項３】
請求項１又は２に記載の電子機器であって、
前記光学素子は、前記光路変換素子と前記スクリーンの間に配置される、
電子機器。
【請求項４】
請求項１又は２に記載の電子機器であって、
前記光学素子は、前記少なくとも２つのフィルムと前記光路変換素子の間に夫々配置される、
電子機器。
【請求項５】
請求項１に記載の電子機器であって、
前記光源は、LD（laser diode）である、
電子機器。
【請求項６】
請求項５に記載の電子機器であって、
前記フィルムは、ホログラム素子である、
電子機器。
【請求項７】
請求項６に記載の電子機器であって、
前記LDから出射されたレーザー光は、前記ホログラム素子に対して斜めに入射する、
電子機器。
【請求項８】
請求項１〜７の何れかに記載の電子機器であって、
前記光路変換素子は、クロスダイクロイックプリズム又はハーフミラー、ハーフプリズムの何れかである、
電子機器。
【請求項９】
請求項１〜８の何れかに記載の電子機器であって、
前記スクリーンは、キートップの表示面に配置されている、
電子機器。
【請求項１０】
請求項９に記載の電子機器であって、
動作モードを切り替えるための動作モード切替手段を更に備え、
前記光源制御手段は、前記動作モード切替手段によって選択された前記動作モードに応じて、前記少なくとも２つの光源のうち少なくとも１つの光源の発光状態を変化させることにより、前記キートップの前記表示面の表示状態を切り替える、
電子機器。
【発明の詳細な説明】
【技術分野】
【０００１】
本発明は、電子機器に関する。
【背景技術】
【０００２】
例えばデジタルカメラなどの電子機器には、電子機器の動作を制御するための操作キーが複数設けられている。また、電子機器の多機能化に伴い、必要とされる操作の個数も増えてきている。しかしながら一方では、電子機器の小型化が要請されており、必要な数だけ操作キーを設けることが事実上困難なものとなっている。
【０００３】
これに対し、メニューの階層化によって操作キーの設置数を削減することが考えられる。しかし、メニューの階層化は目的とする操作を行うために階層化されたメニュー間を幾度と無く往復してその目的とする操作の所在を探しださなければならず煩雑であり、またその目的とする操作を実際に実行するまでには相当の時間を要する。
【０００４】
特許文献１は、キースイッチの表示を切り替える技術を開示している。即ち、キースイッチの表示面の直下にプリズムを配置する。プリズムの第１の面は、キースイッチの表示面に対向している。プリズムの第２の面及び第３の面には、フィルム状透明部材が固着されている。２つのランプが、２つのフィルム状透明部材を照射する位置に夫々配置されている。この構成で、２つのランプのうち何れか一方を点灯させると、２つのフィルム状透明部材のうち対応するフィルム状透明部材を透過した光がキースイッチの表示面を透過する。
【先行技術文献】
【特許文献】
【０００５】
【特許文献１】特開昭５８−４４６２０号公報
【発明の概要】
【発明が解決しようとする課題】
【０００６】
しかしながら、上記特許文献１の構成では、２つのランプのうち点灯させるランプを切り替えるたびに、光がキースイッチの表示面を透過する方向が異なり、キースイッチの表示がちゃんと見える位置に目を移動させる必要があったので利用者にとって不便であった。
【０００７】
本発明の目的は、操作キーに２つ以上の表示ができるようにすることで、操作の煩雑さを軽減し、かつその表示が切り替わっても目の位置を移動させる必要もなく、操作キーの表示品質に影響のない高品位な操作性を提供しようとするものである。
【課題を解決するための手段】
【０００８】
本発明によれば、少なくとも２つの入射面と、前記少なくとも２つの入射面から入射した光を外部へ出射する１つの出射面と、を有する光路変換素子と、特定のパターンを有すると共に、前記少なくとも２つの入射面に対向するように夫々配置される少なくとも２つのフィルムと、前記フィルムを挟んで前記光路変換素子と反対側に夫々配置される、少なくとも２つの光源と、前記１つの出射面から出射された光の光路上に配置されたスクリーンと、前記少なくとも２つの光源のうち発光させる光源を切り替える光源制御手段と、前記少なくとも２つのフィルムが有するパターンの像を前記スクリーンで結像させるための光学素子と、を備え、前記パターンの像に対する前記スクリーンの像の倍率は、０．８〜１．２である、電子機器が提供される。
好ましくは、前記光源は、LED（light emitting diode）である。
好ましくは、前記光学素子は、前記光路変換素子と前記スクリーンの間に配置される。
好ましくは、前記光学素子は、前記少なくとも２つのフィルムと前記光路変換素子の間に夫々配置される。
好ましくは、前記光源は、LD（laser diode）である。
好ましくは、前記フィルムは、ホログラム素子である。
好ましくは、前記LDから出射されたレーザー光は、前記ホログラム素子に対して斜めに入射する。
好ましくは、前記光路変換素子は、クロスダイクロイックプリズム又はハーフミラー、ハーフプリズムの何れかである。
好ましくは、前記スクリーンは、キートップの表示面に配置されている。
好ましくは、前記電子機器は、動作モードを切り替えるための動作モード切替手段を更に備える。前記光源制御手段は、前記動作モード切替手段によって選択された前記動作モードに応じて、前記少なくとも２つの光源のうち少なくとも１つの光源の発光状態を変化させることにより、前記キートップの前記表示面の表示状態を切り替える。
【発明の効果】
【０００９】
本発明によれば、操作キーに２つ以上の表示ができるようにすることで、操作の煩雑さを軽減し、かつその表示が切り替わっても目の位置を移動させる必要もなく、操作キーの表示品質に影響のない高品位な操作性を提供することができる。
【図面の簡単な説明】
【００１０】
【図１】デジタルカメラの側面図である。（第１実施形態）
【図２】操作キーの断面図である。（第１実施形態）
【図３】デジタルカメラの機能ブロック図である。（第１実施形態）
【図４】デジタルカメラの制御フローである。（第１実施形態）
【図５】撮影モードにおける操作キーのスクリーンである。（第１実施形態）
【図６】再生モードにおける操作キーのスクリーンである。（第１実施形態）
【図７】操作キーの断面図である。（変形例）
【図８】操作キーの断面図である。（変形例）
【図９】操作キーの断面図である。（変形例）
【図１０】操作キーの断面図である。（変形例）
【図１１】操作キーの断面図である。（変形例）
【図１２】倍率の説明図である。
【発明を実施するための形態】
【００１１】
図１には、電子機器の一例として、デジタルカメラ１（撮像装置）を示している。デジタルカメラ１は、筐体２と、操作キー３、LCD５（liquid crystal display）、モードダイヤル７（動作モード切替手段）、フラッシュ４、EVF６（ Electronic View Finder ）、撮像センサー８（光電変換素子）を備えている。デジタルカメラ１の筐体２には、交換レンズ９が着脱自在に取り付けられている。モードダイヤル７を回転させると、デジタルカメラ１の動作モードが切り替わるようになっている。
【００１２】
次に、図２を参照して操作キー３を説明する。操作キー３は、キートップ１０、スクリーン１１、メンブレンスイッチ１２、ハーフプリズム４０、第１フィルム１５ａ、第１LED１５ｂ、第２フィルム１６ａ、第２LED１６ｂ、結像レンズ１７（光学素子）を有する。
【００１３】
キートップ１０は、表示面１８を有する。
【００１４】
スクリーン１１は、キートップ１０の表示面１８に配置されている。スクリーン１１は、例えばすりガラスである。
【００１５】
メンブレンスイッチ１２は、操作キー３が操作されたことを検出するスイッチである。
【００１６】
ハーフプリズム４０は、第１入射面２０、第２入射面２１、出射面２２を有する。出射面２２は、スクリーン１１を向く面である。第１入射面２０、第２入射面２１に入射した光は、出射面２２から出射される。
【００１７】
第１フィルム１５ａ及び第１LED１５ｂは、ハーフプリズム４０の第１入射面２０に対向する位置に配置されている。第１フィルム１５ａは、第１LED１５ｂと第１入射面２０の間に配置されている。第１フィルム１５ａには、特定のパターンが予め描かれている。第１LED１５ｂから出射した光は、第１フィルム１５ａを通って第１入射面２０に入射される。
【００１８】
第２フィルム１６ａ及び第２LED１６ｂは、ハーフプリズム４０の第２入射面２１に対向する位置に配置されている。第２フィルム１６ａは、第２LED１６ｂと第２入射面２１の間に配置されている。第２フィルム１６ａには、特定のパターンが予め描かれている。第２LED１６ｂから出射した光は、第２フィルム１６ａを通って第２入射面２１に入射される。
【００１９】
本実施形態において、第１フィルム１５ａと第２フィルム１６ａには、異なるパターンが描かれている。しかしながら、第１フィルム１５ａと第２フィルム１６ａには、同じパターンが描かれていてもよい。
【００２０】
また、本実施形態において、第１LED１５ｂと第２LED１６ｂは、波長の異なる光を出射する。しかしながら、第１LED１５ｂと第２LED１６ｂは、同じ波長の光を出射するようにしてもよい。
【００２１】
結像レンズ１７は、ハーフプリズム４０の出射面２２から出射した光をスクリーン１１に結像するための正のパワーを有するレンズである。
【００２２】
図３には、デジタルカメラ１の機能ブロック図を示している。図３に示すように、デジタルカメラ１は、更に、制御部３０を有する。制御部３０は、中央演算処理器としてのCPU３１（Central Processing Unit）と、読み書き自由のRAM３２（Random Access Memory）、読み出し専用のROM３３（Read Only Memory）を備えている。そして、CPU３１がROM３３に記憶されている画像制御プログラムを読み出して実行することで、画像制御プログラムは、CPU３１などのハードウェアを光源制御部３５（光源制御手段）として機能させる。
【００２３】
光源制御部３５は、デジタルカメラ１の現在の動作モードに基いて、操作キー３の第１LED１５ｂ及び第２LED１６ｂの発光を制御する。例えば、光源制御部３５は、操作キー３の第１LED１５ｂ及び第２LED１６ｂのうち一方のみを発光させたり、両方を発光させたり、両方を消灯したりする。
【００２４】
次に、図４を参照して、デジタルカメラ１の動作を説明する。ユーザーがモードダイヤル７を操作すると、デジタルカメラ１の動作モードが切り替わる(S100)。光源制御部３５は、デジタルカメラ１の現在の動作モードに応じて、操作キー３の第１LED１５ｂ及び第２LED１６ｂの発光を制御する(S110)。例えば、操作キー３において、第１LED１５ｂが発光し、第２LED１６ｂが消灯している場合、スクリーン１１には第１フィルム１５ａに描かれているパターンが第１LED１５ｂの発光色で表示されることになる。
【００２５】
本実施形態において、デジタルカメラ１は、動作モードとして「撮影モード」と「再生モード」を有している。
【００２６】
デジタルカメラ１の現在の動作モードが「撮影モード」であるとき、図５に示すように、操作キー３のスクリーン１１にはフラッシュマークが表示されている。また、LCD５には、現在のフラッシュ設定を特定するためのアイコンが表示されている。この状態で、操作キー３を押下すると、押下するたびに、フラッシュ設定が「オート発光」「強制発光」「発光禁止」「オート発光」・・・の順番で切り替わるようになっている。
【００２７】
デジタルカメラ１の現在の動作モードが「再生モード」であるとき、図６に示すように、操作キー３のスクリーン１１にはゴミ箱マークが表示されている。また、LCD５には、最新の画像データが表示されている。この状態で、操作キー３を押下すると、LCD５には、現在再生中の画像データを消去するかユーザーに尋ねる画面が表示される。この状態で、ユーザーが図示しない決定キーを押下するとその画像データは消去され、ユーザーが図示しないキャンセルキーを押下するとその画像はLCD５上に再び表示される。
【００２８】
このように、本実施形態のデジタルカメラ１によれば、デジタルカメラ１の現在の動作モードに応じて操作キー３がどのような機能及び設定に関連付けられているかが一目瞭然である。
【００２９】
従来でも、操作キーには複数の機能が割り当てられており、操作キーの近傍に、その複数の機能に対応する複数のアイコンが描かれていた。この場合、いざ操作キーを操作するに際し、その操作キーを操作した際に発揮される機能がどのアイコンに対応したものなのか、実際に操作してみるまでわからなかった。これに対し、本実施形態のデジタルカメラ１では、操作キー３のスクリーン１１に表示されているアイコンによって、現在操作キー３を操作するとどのような機能が発揮されるのか一目瞭然である。また、１つの操作キー３に多数の機能を上述したように問題なく割り当てることができるので、メニューの階層化の必要性がなくなり、所望の機能を探し迷うことなく短時間で発揮させることができるようになる。
【００３０】
以上に、第１実施形態を説明したが、上記実施形態は、以下の特長を有する。
【００３１】
デジタルカメラ１（電子機器）は、第１入射面２０及び第２入射面２１（少なくとも２つの入射面）と、第１入射面２０及び第２入射面２１から入射した光を外部へ出射する１つの出射面２２と、を有するハーフプリズム４０（光路変換素子）と、特定のパターンを有すると共に、第１入射面２０及び第２入射面２１に対向するように夫々配置される第１フィルム１５ａ及び第２フィルム１６ａ（少なくとも２つのフィルム）と、第１フィルム１５ａ及び第２フィルム１６ａを挟んでハーフプリズム４０と反対側に夫々配置される、第１LED１５ｂ及び第２LED１６ｂ（少なくとも２つの光源）と、１つの出射面２２から出射された光の光路上に配置されたスクリーン１１と、第１LED１５ｂ及び第２LED１６ｂのうち発光させる光源を切り替える光源制御部３５（光源制御手段）と、を備える。以上の構成によれば、操作キー３に２つ以上の表示ができるようにすることで、操作の煩雑さを軽減し、かつその表示が切り替わっても目の位置を移動させる必要もなく、操作キー３の表示品質に影響のない高品位な操作性を提供することができる。
【００３２】
光源として、LED（light emitting diode）を採用してもよい。
【００３３】
デジタルカメラ１は、ハーフプリズム４０とスクリーン１１の間に配置され、第１フィルム１５ａ及び第２フィルム１６ａが有するパターンの像をスクリーン１１で結像させるための結像レンズ１７（光学素子）を更に有する。
【００３４】
第１フィルム１５ａ及び第２フィルム１６ａが有するパターンの像に対するスクリーン１１の像の倍率は、例えば、0.8〜１．２である。以下、図１２を参照して、この倍率について説明する。
【００３５】
図１２において、各変数は以下の通りである。
f：結像レンズ１７の焦点距離
a：結像レンズ１７と第１フィルム１５ａの距離
b：結像レンズ１７とスクリーン１１との距離
ｘ：第１フィルム１５ａが有するパターンの像の高さ
ｙ：スクリーン１１の像の高さ
【００３６】
a=b=2f のとき、ｘとｙの比は等倍となる(y/x=1)。この時、a+bが最小となる。従って、操作キー３のキートップ１０のように小型化が要求される場合には、概略等倍に配置構成することが望ましい。但し、その光路中にハーフプリズム４０等の光学素子を配置する必要があり、１倍以下もしくは１倍以上の倍率になってしまう場合もある。
【００３７】
光路変換素子としては、ハーフプリズム４０が好ましい。しかし、これに代えて、図７に示すように、光路変換素子として、ダイクロイックプリズム１３を採用してもよい。ダイクロイックプリズム１３は、第１入射面２０及び第２入射面２１に加えて第３入射面１９を有する。第３入射面１９、第１入射面２０、第２入射面２１に入射した光は、出射面２２から出射する。第３フィルム１４ａ及び第３LED１４ｂは、ダイクロイックプリズム１３の第３入射面１９に対向する位置に配置されている。第３フィルム１４ａは、第３LED１４ｂと第３入射面１９の間に配置されている。第３フィルム１４ａには、特定のパターンが予め描かれている。第３LED１４ｂから出射した光は、第３フィルム１４ａを通って第３入射面１９に入射される。このように光路変換素子としてダイクロイックプリズム１３を採用すれば、操作キー３のスクリーン１１の表示内容を３通りに切り替えることが可能となる。また、図８に示すように、光路変換素子として、ハーフミラー４１を採用してもよい。
【００３８】
スクリーン１１は、キートップ１０の表示面１８に配置されていることが好ましい。
【００３９】
デジタルカメラ１は、現在のデジタルカメラ１の動作モードを切り替えるためのモードダイヤル７（動作モード切替手段）を更に備える。光源制御部３５は、モードダイヤル７によって選択された動作モードに応じて、第１LED１５ｂ及び第２LED１６ｂのうち少なくとも１つのLEDの発光状態を変化させることにより、キートップ１０の表示面１８の表示状態を切り替える。以上の構成によれば、操作キー３のスクリーン１１に、デジタルカメラ１の現在の動作モードに適した画像を表示させることができる。
【００４０】
上記第１実施形態は、以下のように変更できる。
【００４１】
また、光源制御部３５は、LCD５が開閉動作可能な場合は、LCD５の開閉動作に応じて、操作キー３のスクリーン１１に所定の画像を表示させるように、操作キー３の第１LED１５ｂ等を制御してもよい。
【００４２】
また、光源制御部３５は、EVF６の使用時は、操作キー３のスクリーン１１の表示をOFFにするようにしてもよい。
【００４３】
また、光源制御部３５は、交換レンズ９の着脱に応じて、操作キー３のスクリーン１１に所定の画像を表示させるように、操作キー３の第１LED１５ｂ等を制御してもよい。
【００４４】
また、光源制御部３５は、デジタルカメラ１に搭載された交換レンズ９の種類に応じて、操作キー３のスクリーン１１に所定の画像を表示させるように、操作キー３の第１LED１５ｂ等を制御してもよい。
【００４５】
また、光源制御部３５は、SDカード（登録商標）などの外部記憶装置の有無に応じて、操作キー３のスクリーン１１に所定の画像を表示させるように、操作キー３の第１LED１５ｂ等を制御してもよい。
【００４６】
また、結像レンズ１７のディストーションを補正するために、第１フィルム１５ａ及び第２フィルム１６ａの有するパターンを逆に歪ませることで上記ディストーションを相殺させることもできる。
【００４７】
また、図９に示すように、デジタルカメラ１は、第３フィルム１４ａと第３LED１４ｂの間に配置された集光レンズ５４を備えてもよい。同様に、デジタルカメラ１は、第１フィルム１５ａと第１LED１５ｂの間に配置された集光レンズ５５、第２フィルム１６ａ及び第２LED１６ｂの間に配置された集光レンズ５６を備えてもよい。
【００４８】
また、図１０に示すように、結像レンズ１７に代えて、デジタルカメラ１は、ダイクロイックプリズム１３の第３入射面１９と第３フィルム１４ａの間に配置された第１結像レンズ６４（光学素子）、ダイクロイックプリズム１３の第１入射面２０と第１フィルム１５ａの間に配置された第２結像レンズ６５（光学素子）、ダイクロイックプリズム１３の第２入射面２１と第２フィルム１６ａの間に配置された第３結像レンズ６６（光学素子）を備えてもよい。第１結像レンズ６４は、第３フィルム１４ａのパターンの像をスクリーン１１に結像させるためのレンズである。第２結像レンズ６５は、第１フィルム１５ａのパターンの像をスクリーン１１に結像させるためのレンズである。第３結像レンズ６６は、第２フィルム１６ａのパターンの像をスクリーン１１に結像させるためのレンズである。
【００４９】
また、図１１に示すように、デジタルカメラ１は、２つのダイクロイックプリズム１３を備え、スクリーン１１に近いダイクロイックプリズム１３の第１入射面２０に、他方のダイクロイックプリズム１３の出射面２２を対向させるように、２つのダイクロイックプリズム１３を配置してもよい。以上の構成によれば、操作キー３のスクリーン１１に、５つの異なる画像を表示させることができるようになる。
【００５０】
また、図２において、LEDとフィルムに代えて、レーザーとホログラム素子を使って構成することもできる。この場合、レーザーから出射したレーザー光は、ホログラム素子に対して斜めに入射することが好ましい。以上の構成によれば、レーザー光の０次光がスクリーン１１に入射するのを防止することができる。
【符号の説明】
【００５１】
１  デジタルカメラ
３  操作キー
７  モードダイヤル
１０  キートップ
１１  スクリーン
４０  ハーフプリズム
【図１】
2016095438.tif 000003
【図２】
2016095438.tif 000004
【図３】
2016095438.tif 000005
【図４】
2016095438.tif 000006
【図５】
2016095438.tif 000007
【図６】
2016095438.tif 000008
【図７】
2016095438.tif 000009
【図８】
2016095438.tif 000010
【図９】
2016095438.tif 000011
【図１０】
2016095438.tif 000012
【図１１】
2016095438.tif 000013
【図１２】
2016095438.tif 000014